(57)【要約】  本発明は、専用の物理制御チャネルの電力が増加したデータレートによって引き上げられる場合、サービス提供基地局と非サービス提供基地局との間のソフトハンドオーバの期間、通信ネットワークにおいて信頼性のある電力制御を維持するための解決策を提供する。【選択図】図４
2010523042.tif 000002
【特許請求の範囲】
【請求項１】
ユーザ機器（ＵＥ）によって使用されるＤＰＣＣＨ（Dedicated  Physical  Control  Channel）電力を制御するための、移動通信ネットワークの無線基地局のための方法であって、前記ＵＥは、当該無線基地局に接続されており、並びに１以上のＥ−ＤＰＤＣＨ（Dedicated  Physical  Data  Channels）上でデータを送信し及びＤＰＣＣＨ上でチャネル評価のためのリファレンス情報を送信するように構成されており、当該方法は：
−前記ＵＥによって使用される前記ＤＰＣＣＨ電力について第１のＳＩＲ目標を使用するステップと、
−前記Ｅ−ＤＰＤＣＨ上の前記ＵＥのデータ送信レートの変化を検出するステップと、
−ＵＥの新しいデータ送信レートと前記ＳＩＲ目標との間の予決定されたマッピングに基づいて、前記ＵＥによって使用される前記ＤＰＣＣＨ電力についての前記第１のＳＩＲ目標を、前記ＤＰＣＣＨ電力についての第２のＳＩＲ目標に調節するステップと、
を含む方法。
【請求項２】
前記無線基地局は、前記ＵＥに対して非サービス提供無線基地局として動作している、請求項１に記載の方法。
【請求項３】
前記調節するステップは：
−前記送信データについての前記データ送信レートの指標である伝送ブロックサイズを判定することと、
−前記新しい送信レートを前記第２のＳＩＲ目標にマッピングすることと、
を含む、請求項２に記載の方法。
【請求項４】
前記新しい送信レートを前記第２のＳＩＲ目標にマッピングすることは、まず前記新しい送信レートを前記ＵＥによって使用される前記ＤＰＣＣＨ電力の変化にマッピングし、次に前記ＤＰＣＣＨ電力の前記変化を前記ＵＥによって使用される前記ＤＰＣＣＨについての前記第１のＳＩＲ目標に加えることによって前記第２のＳＩＲ目標を決定する、ことによって実行される、請求項３に記載の方法。
【請求項５】
前記伝送ブロックサイズは、前記Ｅ−ＤＰＣＣＨ上を伝達されるＥ−ＴＦＣＩ（Transport  Format  Combination  Indicator）を復号することによって判定される、請求項３又は請求項４のいずれか１項に記載の方法。
【請求項６】
前記調節するステップは：
−前記送信データについての前記データ送信レートの指標である伝送ブロックサイズを、前に送信された伝送ブロックの前記伝送ブロックサイズとして評価するステップと、
−前記新しい送信レートを前記第２のＳＩＲ目標にマッピングするステップと、
を含む、請求項２に記載の方法。
【請求項７】
前記評価するステップ及びマッピングするステップは：
−前記送信データについての前記データ送信レートの指標である伝送ブロックサイズを、データ送信レートの指標である最小限の伝送ブロックサイズとして評価するステップと、
−前記評価された新しい送信レートを前記第２のＳＩＲ目標にマッピングするステップと、
−前記ＵＥによって使用される前記ＤＰＣＣＨの前記ＳＩＲを決定するステップと、
を含み、前記ＵＥによって使用される前記ＤＰＣＣＨの前記ＳＩＲが前記第２のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第２のＳＩＲ目標よりも大きい場合には、前記方法はさらに：
−前記評価されたＤＰＣＣＨ電力及び前記評価されたＥ−ＤＰＤＣＨ電力に基づいて前記伝送ブロックサイズを再評価するステップと、
−前記再評価された伝送ブロックサイズを第３のＳＩＲ目標にマッピングするステップと、
を含み、前記ＵＥによって使用される前記ＤＰＣＣＨの前記ＳＩＲが前記第３のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第３のＳＩＲ目標よりも大きい場合には、前記方法は前記ＵＥへ電力ダウンコマンドを送信するステップを含む、
請求項６に記載の方法。
【請求項８】
前記無線基地局は、前記ＵＥに対してサービス提供無線基地局として動作している、請求項１に記載の方法。
【請求項９】
前記調節するステップは：
−前記送信データについての前記データ送信レートの指標である伝送ブロックサイズを前に送信された伝送ブロックの前記伝送ブロックサイズとして評価するステップと、
−前記新しい送信レートを前記第２のＳＩＲ目標にマッピングするステップと、
を含む、請求項８に記載の方法。
【請求項１０】
前記評価するステップ及びマッピングするステップは：
−前記送信データについての前記データ送信レートの指標である伝送ブロックサイズを、送信レートの指標である最小限の伝送ブロックサイズとして評価するステップと、
−前記評価された新しい送信レートを前記第２のＳＩＲ目標にマッピングするステップと、
−前記ＵＥによって使用される前記ＤＰＣＣＨの前記ＳＩＲを決定するステップと、
を含み、
前記ＵＥによって使用される前記ＤＰＣＣＨの前記ＳＩＲが前記第２のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第２のＳＩＲ目標よりも大きい場合には、前記方法はさらに：
−前記評価されたＤＰＣＣＨ電力及び前記評価されたＥ−ＤＰＤＣＨ電力に基づいて前記伝送ブロックサイズを再評価するステップと、
−前記再評価された伝送ブロックサイズを第３のＳＩＲ目標にマッピングするステップと、
を含み、前記ＵＥによって使用される前記ＤＰＣＣＨの前記ＳＩＲが前記第３のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第３のＳＩＲ目標よりも大きい場合には、前記方法は前記ＵＥへ電力ダウンコマンドを送信するステップを含む、
請求項９に記載の方法。
【請求項１１】
ユーザ機器（ＵＥ）によって使用されるＤＰＣＣＨ（Dedicated  Physical  Control  Channel）電力を制御するための移動通信ネットワークの無線基地局であって、前記ＵＥは、当該無線基地局に接続されており、並びに１以上のＥ−ＤＰＤＣＨ（Dedicated  Physical  Data  Channels）上でデータを送信し及びＤＰＣＣＨ上でチャネル評価のためのリファレンス情報を送信するように構成されており、当該無線基地局は、前記ＵＥによって使用される前記ＤＰＣＣＨ電力について第１のＳＩＲ目標（ＳＩＲ目標Ａ）を使用するための手段と、前記Ｅ−ＤＰＤＣＨ上の前記ＵＥのデータ送信レートの変化を検出するための手段と、ＵＥの新しいデータ送信レートと前記ＳＩＲ目標との間の予決定されたマッピングに基づいて、前記ＵＥによって使用される前記ＤＰＣＣＨ電力についての前記第１のＳＩＲ目標（ＳＩＲ目標Ａ）を、前記ＤＰＣＣＨ電力についての第２のＳＩＲ目標（ＳＩＲ目標Ｂ）に調節するための手段と、を含む無線基地局。
【請求項１２】
前記無線基地局は、前記ＵＥに対して非サービス提供無線基地局として動作するように構成される、請求項１１に記載の無線基地局。
【請求項１３】
前記調節するための手段は、前記送信データについての前記データ送信レートの指標である伝送ブロックサイズを判定し、前記新しい送信レートを前記第２のＳＩＲ目標にマッピングする、ように構成される、請求項１２に記載の無線基地局。
【請求項１４】
前記新しい送信レートを前記第２のＳＩＲ目標にマッピングするように構成される前記手段は、まず前記新しい送信レートを前記ＵＥによって使用される前記ＤＰＣＣＨ電力の変化にマッピングし、前記ＤＰＣＣＨ電力の前記変化を前記ＵＥによって使用される前記ＤＰＣＣＨについての前記第１のＳＩＲ目標に加えることによって前記第２のＳＩＲ目標を決定する、ようにさらに構成される、請求項１３に記載の無線基地局。
【請求項１５】
前記伝送ブロックサイズは、前記Ｅ−ＤＰＣＣＨ上を伝達されるＥ−ＴＦＣＩ（Transport  Format  Combination  Indicator）を復号することによって判定される、請求項１３又は請求項１４のいずれか１項に記載の無線基地局。
【請求項１６】
前記調節するための手段は、前記送信データについての前記データ送信レートの指標である伝送ブロックサイズを、前に送信された伝送ブロックの前記伝送ブロックサイズとして評価し、前記新しい送信レートを前記第２のＳＩＲ目標にマッピングする、ようにさらに構成される、請求項１２に記載の無線基地局。
【請求項１７】
前記調節するための手段は：前記送信データについての前記データ送信レートの指標である伝送ブロックサイズを、データ送信レートの指標である最小限の伝送ブロックサイズとして評価し、前記評価された新しい送信レートを前記第２のＳＩＲ目標にマッピングし、前記ＵＥによって使用される前記ＤＰＣＣＨの前記ＳＩＲを決定し、前記ＵＥによって使用される前記ＤＰＣＣＨの前記ＳＩＲが前記第２のＳＩＲ目標よりも小さい場合、前記ＵＥへ電力アップコマンドを送信し、前記ＵＥによって使用される前記ＤＰＣＣＨの前記ＳＩＲが前記第２のＳＩＲ目標よりも大きい場合、前記評価されたＤＰＣＣＨ電力及び前記評価されたＥ−ＤＰＤＣＨ電力に基づいて前記伝送ブロックサイズを再評価し、前記再評価された伝送ブロックサイズを第３のＳＩＲ目標にマッピングし、前記ＵＥによって使用される前記ＤＰＣＣＨの前記ＳＩＲが前記第３のＳＩＲ目標よりも小さい場合、前記ＵＥへ電力アップコマンドを送信し、前記ＵＥによって使用される前記ＤＰＣＣＨの前記ＳＩＲが前記第３のＳＩＲ目標よりも大きい場合、前記ＵＥへ電力ダウンコマンドを送信する、ようにさらに構成される、請求項１２に記載の無線基地局。
【請求項１８】
前記無線基地局は、前記ＵＥに対してサービス提供無線基地局として動作するように構成される、請求項１１に記載の無線基地局。
【請求項１９】
前記調節するための手段は：前記送信データについての前記データ送信レートの指標である伝送ブロックサイズを前に送信された伝送ブロックの前記伝送ブロックサイズとして評価し、前記新しい送信レートを前記第２のＳＩＲ目標にマッピングする、ように構成される、請求項１８に記載の無線基地局。
【請求項２０】
前記調節するための手段は：前記送信データについての前記データ送信レートの指標である伝送ブロックサイズを、送信レートの指標である最小限の伝送ブロックサイズとして評価し、前記評価された新しい送信レートを前記第２のＳＩＲ目標にマッピングし、前記ＵＥによって使用される前記ＤＰＣＣＨの前記ＳＩＲを決定し、前記ＵＥによって使用される前記ＤＰＣＣＨの前記ＳＩＲが前記第２のＳＩＲ目標よりも小さい場合、前記ＵＥへ電力アップコマンドを送信し、前記ＵＥによって使用される前記ＤＰＣＣＨの前記ＳＩＲが前記第２のＳＩＲ目標よりも小さい場合、前記評価されたＤＰＣＣＨ電力及び前記評価されたＥ−ＤＰＤＣＨ電力に基づいて前記伝送ブロックサイズを再評価し、前記再評価された伝送ブロックサイズを第３のＳＩＲ目標にマッピングし、前記ＵＥによって使用される前記ＤＰＣＣＨの前記ＳＩＲが前記第３のＳＩＲ目標よりも小さい場合、前記ＵＥへ電力アップコマンドを送信し、前記ＵＥによって使用される前記ＤＰＣＣＨの前記ＳＩＲが前記第３のＳＩＲ目標よりも小さい場合、前記ＵＥへ電力ダウンコマンドを送信する、ようにさらに構成される、請求項１８に記載の無線基地局。
【発明の詳細な説明】
【技術分野】
【０００１】
本発明は、セルラー通信ネットワークにおけるアップリンクの電力制御についての解決策に関する。特に本発明は、ソフトハンドオーバ状態の期間におけるアップリンクの電力制御についての方法及び構成に関する。
【背景技術】
【０００２】
ＨＳＰＡ（High-Speed  Packet  Access）は、既存のＵＭＴＳ（Universal  Mobile  Telephony  System）プロトコルの性能を拡張及び改良する携帯電話通信プロトコルの集合である。２つの標準、つまりＨＳＤＰＡ（High-Speed  Downlink  Packet  Access）及びＥＵＬ（Enhanced  Uplink）とも呼ばれるＨＳＵＰＡ（High-Speed  Uplink  Packet  Access）が確立されている。ＥＵＬは、新しい伝送チャネルであるＥ−ＤＣＨ（Enhanced  Dedicated  Channel）を導入している。専用チャネル（ＤＣＨ）は、１度に１ＵＥにしか割り当てられない。ＤＣＨは電力制御されており、チャネルが極端に貧弱な場合送信電力は増やされ、不必要な高い電力レベルが使用されている場合電力は減らされる。
【０００３】
物理層においてＥＵＬは、例えばＥ−ＤＰＣＣＨ（E-DCH  Dedicated  Physical  Control  Channel）及びＥ−ＤＰＤＣＨ（E-DCH  Dedicated  Physical  Data  Channel）を導入している。Ｅ−ＤＰＤＣＨは、Ｅ−ＤＣＨ伝送チャネルを伝達するために使用され、Ｅ−ＤＰＣＣＨは、Ｅ−ＴＦＣＩ（E-DCH  Transport  Format  Combination  Indicator）のようなＥ−ＤＣＨに関連付けられる制御情報を伝達するために使用される。ＤＰＣＣＨは、チャネル評価のために使用されるパイロットシンボルを伝達するために使用される。
【０００４】
アップリンクにおけるデータレートを増加させるため、１６ＱＡＭ（Quadrature  Amplitude  Modulation）を基礎とするより高次の変調方式（ＨＯＭ：higher  order  modulation）がアップリンクのＥ−ＤＣＨに導入されている。１６ＱＡＭの導入により、ＥＵＬに関する３ＧＰＰ仕様のリリース６に対してデータレートは倍増し、ピークのデータレートは１１．５Ｍｂｐｓ（符号化レートは１に等しい）まで可能となっている。データチャネル、つまりＥ−ＤＰＤＣＨの送信電力は、使用される伝送フォーマットに依存し、ＤＰＣＣＨ電力に対して相対的に調節される。ＤＰＣＣＨ電力は、外部ループ（outer  loop）の電力制御によって設定されたＳＩＲ目標に達するよう、内部の電力制御ループによって設定される。
【０００５】
開ループの電力制御とは、ＵＥ（User  Equipment）の送信機がその出力電力を特定の値に設定する能力である。それは、ＵＥがネットワークにアクセスしようとしている際、初期のアップリンク及びダウンリンクの送信電力を設定するために使用される。アップリンクにおける内部ループ（inner  loop）の電力制御（高速閉ループ電力制御（fast  closed  loop  power  control）とも呼ばれる）は、受信されるアップリンクのＳＩＲ（Signal-to-Interference  Ratio）を所与のＳＩＲ目標に保つために、ＵＥの送信機がダウンリンクにおいて受信する１以上のＴＰＣ（Transmit  Power  Control）コマンドに従いその出力電力を調節する能力である。
【０００６】
高いレートの信号の信頼性のある復調には、（チャネル評価のためのパイロットシンボルを使用することによる）良好な位相のリファレンスが必要である。３ＧＰＰ仕様のリリース６における現行の電力設定は、良い性能を保障するためには十分でないことが示されている。より良好な位相のリファレンスは、制御チャネル（ＤＰＣＣＨ）の電力をその時のビットレートを示す伝送ブロック（transport  block）サイズに従い増減させることによって得ることができ、その伝送ブロックは、Ｅ−ＤＰＤＣＨによって送信される。その際ＤＰＣＣＨは、高いデータレートの送信のためにより高い電力で送信される。図１に示されているように、ＤＰＣＣＨは、チャネル評価のために位相のリファレンスとして使用されるパイロットシンボルを伝達する。
【０００７】
図１は、無線ネットワークコントローラ（ＲＮＣ）１００に接続された複数の無線基地局１１０ａ、ｂ、ｃを含むネットワークを示している。無線基地局１１０ａ、ｂ、ｃは、ＵＥ群１２０（１つのＵＥしか図示されていない）と無線で通信するよう適合されている。図１に示されているように、１つのＵＥ１２０は、１以上の無線基地局に同時に接続されてもよく、ソフトハンドオーバ（ＳＨＯ）と呼ばれる。
【０００８】
高いデータレートが送信される際に、ＤＰＣＣＨの送信電力が引き上げられるものと仮定する。ＵＥがＳＨＯにある場合、電力制御ループに関連する問題が生じる。ＵＥ１２０が第１の基地局１１０ａ及び第２の基地局１１０ｂとのＳＨＯにある場合を考える。第１の基地局１１０ａはサービス提供（serving）基地局であり、すなわち第１の基地局１１０ａはユーザのスケジューリングに関与している。ＵＥ１２０は、第１の基地局１１０ａとの間で交渉された送信データレートに従いＤＰＣＣＨ電力を増加させる。第２の基地局１１０ｂは、ＵＥ１２０がその電力を引き上げ、第２の基地局１１０ｂにおけるＳＩＲ目標が正しい値よりも低い値に設定されるであろうことを知らない。そして第２の基地局１１０ｂを含む電力制御ループは、ＵＥ１２０へ“ダウン”電力コマンドを送信することによって増加した受信ＤＰＣＣＨ電力に対処するであろう。ＵＥ１２０は基地局１１０ａ、ｂ両方の電力制御コマンドを聞いており“いずれかのダウンコマンド（ＯＲ  of  the  down  commands）”に従って動作するため、少なくとも１つのＴＰＣがより低い電力を示すとすぐに電力は低下する。そのため、サービス提供基地局が送信電力を下げないように命令している場合でも、ＵＥ１２０は送信電力を下げてしまうであろう。
【０００９】
そのため、ＵＥがＤＰＣＣＨ電力を引き上げたことに気付かない非サービス提供（non-serving）基地局によって送信される誤った電力制御コマンドの発生が問題となる。これにより、受信電力が極端に低くなり、伝送ブロックが正しく復号されない可能性が増大する。そのため、システム容量が低下する。
【００１０】
この問題に対処するために、認められたレート（granted  rate）に従ってＤＰＣＣＨ電力を引き上げる又は引き下げる場合、ＵＥは、２又は３タイムスロットの間非サービス提供基地局からの電力制御コマンドに基づいて動作すべきではないことが提案されている。又は、別の解決策によれば、実際の送信レートに従ってＤＰＣＣＨの引き上げが設定される場合、ＵＥは、数スロットの間受信した電力制御コマンドのいずれに基づいても動作すべきではない。これら提案の欠点は、ＳＩＲ目標値についての収束時間が、上述の先行技術の解決策に従ってＵＥが電力コマンドを無視するために必要な時間よりも長い可能性があることである。さらに、これら提案の電力制御手続はユーザ依存であり、システムにおいて不安定性を生み出し得る。
【発明の概要】
【発明が解決しようとする課題】
【００１１】
そのため本発明の目的は、ＤＰＣＣＨ上のＵＥ電力が引き上げられる際、ソフトハンドオーバの期間において電力制御を処理するための改良された解決策を実現することである。
【課題を解決するための手段】
【００１２】
本発明は、非サービス提供基地局においてＳＩＲ目標を調節することを可能とするために、ＵＥの送信データレートの評価からＤＰＣＣＨの引き上げ量を決定することに関する。その際、ＵＥに送信された電力制御コマンドは、ＵＥがＳＨＯにあるか否かに関わらず、先行技術の手続に従って処理される。
【００１３】
本発明の第１の観点によれば、無線基地局に接続されたＵＥによって使用されるＤＰＣＣＨ電力を制御するための、移動通信ネットワークの上記無線基地局のための方法が提供される。上記ＵＥは１以上のＥ−ＤＰＤＣＨ（Dedicated  Physical  Data  Channels）上でデータを送信し、及びＤＰＣＣＨ上でチャネル評価のためのリファレンス情報を送信するように構成されている。上記方法において、上記ＵＥによって使用される上記ＤＰＣＣＨ電力について第１のＳＩＲ目標（ＳＩＲ目標Ａ）が使用される。上記Ｅ−ＤＰＤＣＨ上の上記ＵＥのデータ送信レートの変化が検出され、上記ＵＥから受信した上記ＤＰＣＣＨ電力についての上記ＳＩＲ目標が第１のＳＩＲ目標（ＳＩＲ目標Ａ）から第２のＳＩＲ目標（ＳＩＲ目標Ｂ）に調節される。上記調節は、ＵＥの新しいデータ送信レートと上記ＳＩＲ目標との間の予決定されたマッピングに基づく。
【００１４】
本発明の第２の観点によれば、無線基地局に接続されたＵＥによって使用されるＤＰＣＣＨ電力を制御するための、移動通信ネットワークの上記無線基地局が提供される。上記ＵＥは１以上のＥ−ＤＰＤＣＨ（Dedicated  Physical  Data  Channels）上でデータを送信し、及びＤＰＣＣＨ上でチャネル評価のためのリファレンス情報を送信するように構成されている。上記無線基地局は、上記ＵＥによって使用される上記ＤＰＣＣＨ電力について第１のＳＩＲ目標（ＳＩＲ目標Ａ）を使用するための手段と、上記Ｅ−ＤＰＤＣＨ上の上記ＵＥのデータ送信レートの変化を検出するための手段を含む。加えて、上記ＵＥから受信した上記ＤＰＣＣＨ電力についての上記ＳＩＲ目標を、第１のＳＩＲ目標（ＳＩＲ目標Ａ）から第２のＳＩＲ目標（ＳＩＲ目標Ｂ）に調節するための手段が提供される。上記調節はＵＥの新しいデータ送信レートと上記ＳＩＲ目標との間の予決定されたマッピングに基づく。
【発明の効果】
【００１５】
故に、本発明の実施形態に関する利点は、ＵＥがＳＨＯにありＤＰＣＣＨ電力がデータレートに従って引き上げられる際、信頼性のある電力制御を維持する問題を解決することである。本発明が使用されない場合、非サービス提供無線基地局はＤＰＣＣＨ電力が引き上げられたことに気付かず、従って誤った電力制御コマンドを生成してしまう可能性がある。
【図面の簡単な説明】
【００１６】
次に本発明を、限定ではない方法で、以下の添付図面に示される一例としての実施形態を参照しながら、より詳細に説明する：
【００１７】
【図１】本発明の実施形態が実装され得るネットワークを概略的に示している。
【図２ａ】本発明の実施形態に係る方法のフローチャートを概略的に示している。
【図２ｂ】本発明の実施形態に係る方法のフローチャートを概略的に示している。
【図３】本発明の実施形態に係る無線基地局をブロック図において概略的に示している。
【図４】本発明の実施形態に係る方法をブロック図において概略的に示している。
【図５】本発明の実施形態に係る方法をブロック図において概略的に示している。
【発明を実施するための形態】
【００１８】
図１において、参照番号１３０は、本発明が実装され得るセルラー通信ネットワークを概して参照している。少なくとも１つの移動装置（mobile  unit）（ユーザ機器、ＵＥと呼ばれる）１２０は、１以上の基地局１１０ａ、ｂ、ｃを介して無線ネットワークコントローラ（ＲＮＣ）１００に無線で接続され得る。ＵＥ１２０が１以上の基地局１１０ａ、ｂ、ｃを介してＲＮＣに接続されている場合、それら基地局の１つである１１０ａがサービス提供基地局として動作し、その他の１１０ｂはＵＥ１２０に対して非サービス提供基地局として動作する。サービス提供基地局１１０ａは、スケジューリングやレート制御等に関与する。しかしながら、サービス提供基地局１１０ａ及び非サービス提供基地局１１０ｂの両方ともＵＥ１２０に送信電力制御（ＴＰＣ）コマンドを送信する。
【００１９】
ここで本発明を、後述の一例としての実施形態によって議論する。
【００２０】
第１の基地局１１０ａ及び第２の基地局１１０ｂとのＳＨＯにあるＵＥ１２０を考える。第１の基地局１１０ａはサービス提供基地局であり、第２の基地局１１０ｂは非サービス提供基地局であり、ＵＥ１２０は一定のレートｒＡで送信している。ＵＥの送信レートに変化が生じ、ｒＢ＞ｒＡとなる、第１の基地局１１０ａとの間で新しく交渉されたより高いデータレートｒＢが設定される。（本明細書においてはデータレートの増加を仮定しているが、データレートの減少の場合においても同じ原則を適用できる。）その後、ＵＥ１２０は、レートｒＢで送信する。より高いレートｒＢで送信している際、ＤＰＣＣＨの送信電力は、それに応じて増加する。非サービス提供基地局１１０ｂは、ＳＩＲ目標をＳＩＲtargetAに設定している。レートｒＢでの送信が開始すると、第２の基地局１１０ｂにおいて測定されるＳＩＲmeasは、より低いレートの伝送（ｒＢ）について計算されたＳＩＲtargetAと比較される。ここで、ＳＩＲtargetAは、リンクの品質とは無関係にＳＩＲmeasより低い値となり得る。
【００２１】
図４のステップ４０１に示されているようにＥ−ＴＦＣＩを復号することによって、非サービス提供基地局１１０ｂは、伝送ブロックサイズの情報を読み取る。伝送ブロックサイズはデータレートを示しており、その結果ステップ４０２に示されているようにそのデータレートについて必要なＤＰＣＣＨ電力の引き上げ量に従って、ＤＰＣＣＨの目標ＳＩＲは増減され得る。各Ｅ−ＴＦＣＩについて、又は代わりに各伝送ブロックサイズについて、Ｅ−ＤＰＤＣＨとＤＰＣＣＨとの間の電力オフセット、及びＤＰＣＣＨのＳＩＲ目標を基地局は知っている。その結果、非サービス提供基地局は、２つのレート間のＤＰＣＣＨのＳＩＲ差分、ΔＤＰＣＣＨ＿ＳＩＲを計算し（ステップ４０３）、ＳＩＲ目標を修正する（ステップ４０４）。すなわち、
【００２２】
【数１】
2010523042.tif 000003
【００２３】
その結果、電力制御コマンドは、次のように生成される：
【００２４】
【数２】
2010523042.tif 000004
【００２５】
上述の実施形態は、認められたレートに従ってＵＥ１２０がＤＰＣＣＨ電力を引き上げることを仮定して説明されている。以下のシナリオにおいては、サービス提供基地局１１０ａが送信された伝送ブロックサイズ及び認められたレートを知っており、それに応じてＤＰＣＣＨのＳＩＲ目標を調節する。
【００２６】
ＵＥ１２０が、認められたレートに従うよりもむしろ実際の送信レートに従ってＤＰＣＣＨ電力を引き上げる場合、サービス提供基地局１１０ａ及び非サービス提供基地局１１０ｂの両方がＥ−ＴＦＣＩを復号してもよく、その結果対応する伝送ブロック（ＴＢ）サイズに従って（すなわち、データレートに従って）ＳＩＲ目標を調節することが可能となる。これは、ＴＴＩ（Transmission  Time  Interval）における全てのスロットが受信された際実行され得るものであり、３スロットの遅れを意味する。さらに別の方法によれば、サービス提供基地局１１０ａ及び非サービス提供基地局１１０ｂの両方が、送信されたＴＢサイズを物理チャネルの電力レベルから評価し、それからこのＴＢサイズに従ってＳＩＲ目標を調節してもよい。これは、全てのＴＴＩが受信される前にすでに実行され得る。故に、３スロットよりも短い遅延がこの選択肢によって可能となる。またさらに別の方法によれば、受信したＴＢサイズ又はＥ−ＴＦＣＩは前のＴＴＩにおいて送信されたものと同じである、と仮定してもよい。この選択肢は、遅延を生じさせない。さらにサービス提供基地局は、当該基地局がＵＥに伝送を行うようにスケジューリングしたＴＢサイズと、受信されたＴＢサイズとが同じであると仮定してもよい。これは遅延がないことを示唆している。また上述したこれらアプローチを組み合わせて適用してもよい。
【００２７】
故に本発明の実施形態は、移動通信ネットワークにおける無線基地局が、当該無線基地局に接続されたＵＥによって使用されるＤＰＣＣＨ電力を制御するための方法に関する。その無線基地局は非サービス提供無線基地局として動作しており、これはＵＥがサービス提供無線基地局として動作する別の無線基地局にも接続されていることを示唆している。ＵＥは、１以上のＥ−ＤＰＤＣＨ上でデータを送信し、ＤＰＣＣＨ上でチャネル評価のためのリファレンス情報を送信するように構成されている。図２ａ及び２ｂのフローチャートによってその方法が示されており、当該方法は次のステップを含む：
２０１．前述のＵＥによって使用されるＤＰＣＣＨ電力について第１のＳＩＲ目標（ＳＩＲ目標Ａ）を使用する。
２０２．Ｅ−ＤＰＤＣＨ上のＵＥのデータ送信レートが第１のデータ送信レートから第２のデータ送信レートへ変化していることを検出する。
２０３．ＵＥによって使用されるＤＰＣＣＨ電力についての第１のＳＩＲ目標（ＳＩＲ目標Ａ）を、ＤＰＣＣＨ電力についての第２のＳＩＲ目標（ＳＩＲ目標Ｂ）に調節する。ＳＩＲ目標は、ＵＥの新しいデータ送信レート、すなわち第２のデータ送信レート、及びそのＳＩＲ目標との間の予決定されたマッピングに基づいて調節される。
【００２８】
Ｅ−ＴＦＣＩを正しく復号できている場合、ステップ２０３は、さらに次のステップを含み得る：
２０４．送信データについてのデータ送信レートの指標である伝送ブロックサイズを判定する。
２０５．新しい送信レートを第２のＳＩＲ目標にマッピングする。
【００２９】
しかしながら、上述のステップはサービス提供無線基地局として動作している無線基地局についても適用可能であることに留意すべきであり、さらにこれを以下に説明する。
【００３０】
場合によって、Ｅ−ＴＦＣＩは正しく復号されない可能性がある。非サービス提供基地局においてＥ−ＴＦＣＩが正しく復号されない場合、ステップ２０３はさらに次のステップを含む：
２０６．送信データについてのデータ送信レートの指標である伝送ブロックサイズを、以前に送信された伝送ブロックの伝送ブロックサイズとして評価する。
２０７．新しい送信レートを第２のＳＩＲ目標にマッピングする。
【００３１】
このシナリオについて、２つの可能な選択肢を以下に説明する。
【００３２】
第１の選択肢において、非サービス提供基地局は、非常に低い電力で信号を受信し、Ｅ−ＴＦＣＩを復号することができない。この選択肢においては、測定されたＤＰＣＣＨのＳＩＲは目標ＳＩＲよりも低く、非サービス提供基地局は、ＴＰＣコマンドの“アップ”を送信するであろう。これは、サービス提供基地局が電力制御ループを制御するであろうことから、問題ではない。
【００３３】
第２の選択肢において、非サービス提供基地局はＥ−ＴＦＣＩを正しく復号できないが、受信電力は十分高くＤＰＣＣＨのＳＩＲはＳＩＲ目標よりも高い。非サービス提供基地局は、ＴＰＣコマンドの“ダウン”を送信し、サービス提供基地局の電力制御ループを壊してしまうであろう。
【００３４】
さらに、図５に示されている次の方法は、非サービス提供基地局においてＥ−ＴＦＣＩが正しく復号されない場合に、ＴＢサイズを評価するために使用され得る：
５０１．最小のＴＢサイズを選択する。
５０２．選択されたＴＢサイズに従ってＳＩＲ目標を設定する。
５０３．ＤＰＣＣＨのＳＩＲを計算し、ＤＰＣＣＨのＳＩＲがＳＩＲ目標よりも高いか低いかを調べる。
５０４．ＤＰＣＣＨのＳＩＲの方が低い場合には、ＴＰＣの“アップ”コマンドが送信され、ＤＰＣＣＨのＳＩＲの方が高い場合、
５０５．ＤＰＣＣＨ電力を評価する。評価はパイロットビットに基づいて行われ得る。
５０６．（すべての）Ｅ−ＤＰＤＣＨについて受信電力を評価する。
５０７．使用されたＴＢサイズ又はＥ−ＴＦＣＩを評価する。
３ＧＰＰ  ＴＳ  ２５．２１４“物理層の手続（ＦＤＤ）（リリース６）”及び３ＧＰＰ  ＴＳ  ２５．３２１“ＭＡＣ（Medium  Access  Control）プロトコルの仕様”における“ＤＰＣＣＨ電力に対する相対的なアップリンクＥ−ＤＰＣＣＨ及びＥ−ＤＰＤＣＨ電力の設定”手続、並びに３ＧＰＰ  ＴＳ  ２５．３２１“ＭＡＣ（Medium  Access  Control）プロトコルの仕様”における“Ｅ−ＴＦＣの選択”手続において仕様が定められているように、各ＴＢサイズの値は、（すべての）Ｅ−ＤＰＤＣＨについての送信電力とＤＰＣＣＨについての送信電力との間の商に相当するため、（すべての）Ｅ−ＤＰＤＣＨについての受信電力とＤＰＣＣＨについての受信電力との間の商は、ＴＢサイズ又はＥ−ＴＦＣＩを評価するために使用され得る。
５０８．評価されたＴＢサイズ又はＥ−ＴＦＣＩに従ってＳＩＲ目標を設定する。
５０９．ＤＰＣＣＨのＳＩＲを計算し、ＤＰＣＣＨがＳＩＲ目標よりも大きいか低いかを調べる。
５１０．ＴＰＣコマンドを送信する。
【００３５】
本発明の別の実施形態において、Ｅ−ＴＦＣＩを非サービス提供基地局において復号できなかった場合、ＴＢサイズの評価を上述のステップ５０７に示されている電力評価に基づくものとする代わりに、受信したＴＢサイズを、直近で正しく復号されたＥ−ＤＰＣＣＨに対応するものと同じであると仮定してもよい。
【００３６】
サービス提供基地局においてＥ−ＴＦＣＩが正しく復号されない場合、いくつかの別の動作がとられ得る：
【００３７】
ＤＰＣＣＨのＳＩＲ目標は、認められたレートに従って調節されてもよい。ＵＥが代わりに異なるレート（常により低いレート）で伝送を行い、ＤＰＣＣＨのＳＩＲ目標が正しく設定されていない場合、ＤＰＣＣＨのＳＩＲ及びＥ−ＤＰＤＣＨは、目的としているよりも大きい値に増加してしまうであろう。また、受信したＴＢサイズを、以前のＴＴＩにおいて送信されたものと同じであると仮定してもよい。さらに、前述したように非サービス提供基地局においてＥ−ＴＦＣＩが正しく復号されなかった場合のように処理することも可能である。
【００３８】
これは、認められたレートの再交渉を引き起こし得ることに留意すべきである。
【００３９】
従って本発明の実施形態は、ＤＰＣＣＨ電力がデータレートに従って引き上げられる際、ＳＨＯにおいて信頼性のある電力制御を維持する問題を解決するものである。
【００４０】
図３は、本発明の実施形態に係る無線基地局１１０ａ；１１０ｂを示している。無線基地局１１０ａ；１１０ｂは、少なくとも１つの演算装置３０１及び少なくとも１つの（揮発性の及び／又は不揮発性の）メモリ３０２を含む。さらに無線基地局は、ＵＥに向けた通信インターフェイス３０３及びＲＮＣ１００に向けた通信インターフェイス３０５を含む。さらに無線基地局は、メモリ３０２と演算装置３０１とインターフェイス３０３、３０５と交信することのできる、本発明により必要とされる機能／コンポーネント３０４を含む。基地局は、適用される電力の変化量に応じて信号対干渉比（ＳＩＲ）目標を調節するよう設定される。電力制御コマンドがＵＥ１２０へ送信され、システムが標準の手続に従って電力制御コマンドを処理する。状況に応じてＳＩＲ目標を調節するための決定方法は異なる。本発明に必要な機能／コンポーネント３０４は、前述のＵＥによって使用されるＤＰＣＣＨ電力について第１のＳＩＲ目標（ＳＩＲ目標Ａ）を使用するための手段３０４ａ、Ｅ−ＤＰＤＣＨ上のＵＥのデータ送信レートの変化を検出するための手段３０４ｂ、及びＵＥの新しいデータ送信レートとそのＳＩＲ目標との間の予決定されたマッピングに基づいて、ＵＥによって使用されるＤＰＣＣＨ電力についての第１のＳＩＲ目標（ＳＩＲ目標Ａ）を、ＤＰＣＣＨ電力についての第２のＳＩＲ目標（ＳＩＲ目標Ｂ）に調節するための手段３０４ｃを含む。
【００４１】
本発明は、基地局における演算装置内のソフトウエアとして、又は基地局におけるＡＳＩＣ（application  specific  integrated  circuit）の一部として実装され得る。
【００４２】
“含む”という単語は、記載されている以外の要素又はステップの存在を除外するものではなく、要素の前の“a”又は“an”という単語は、そのような要素の複数の存在を除外するものではないことに留意すべきである。さらに、いかなる参照符号も特許請求の範囲を限定せず、本発明は少なくとも部分的にハードウエア及びソフトウエアの両方の手段によって実装されてもよく、並びにいくつかの“手段”、“部”、又は“装置”は、ハードウエアの同じアイテムによって代表されてもよいことに留意すべきである。
【００４３】
前述の実施形態は例として与えられているに過ぎず、本発明に限定するべきではない。後述される特許請求の範囲において記載されている本発明の範囲内の他の解決策、使用、目的、及び機能は当業者にとって明らかであろう。
【図１】
2010523042.tif 000005
【図２ａ】
2010523042.tif 000006
【図２ｂ】
2010523042.tif 000007
【図３】
2010523042.tif 000008
【図４】
2010523042.tif 000009
【図５】
2010523042.tif 000010
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって使用されるＤＰＣＣＨ（Dedicated  Physical  Control  Channel）電力を制御するための、移動通信ネットワークの第１の無線基地局のための方法であって、前記ＵＥは、当該第１の無線基地局及び他の無線基地局に接続されており、並びに１以上のＥ−ＤＰＤＣＨ（Dedicated  Physical  Data  Channels）上でデータを送信し及びＤＰＣＣＨ上でチャネル評価のためのリファレンス情報を送信するように構成されており、当該方法は：
−前記ＵＥによって使用される前記ＤＰＣＣＨ電力について第１のＳＩＲ目標を使用するステップと、
−前記Ｅ−ＤＰＤＣＨ上の前記ＵＥのデータ送信レートの変化を検出するステップと、
−ＵＥの新しいデータ送信レートと第２のＳＩＲ目標との間の予決定されたマッピングに基づいて、前記ＵＥによって使用される前記ＤＰＣＣＨ電力についての前記第１のＳＩＲ目標を、前記ＤＰＣＣＨ電力についての前記第２のＳＩＲ目標に調節するステップと、
を含む方法。
【請求項２】
前記第１の無線基地局は、前記ＵＥに対して非サービス提供無線基地局として動作している、請求項１に記載の方法。
【請求項３】
前記調節するステップは：
−前記送信データについての前記データ送信レートの指標である伝送ブロックサイズを判定することと、
−前記新しい送信レートを前記第２のＳＩＲ目標にマッピングすることと、
を含む、請求項２に記載の方法。
【請求項４】
前記新しい送信レートを前記第２のＳＩＲ目標にマッピングすることは、まず前記新しい送信レートを前記ＵＥによって使用される前記ＤＰＣＣＨ電力の変化にマッピングし、次に前記ＤＰＣＣＨ電力の前記変化を前記ＵＥによって使用される前記ＤＰＣＣＨについての前記第１のＳＩＲ目標に加えることによって前記第２のＳＩＲ目標を決定する、ことによって実行される、請求項３に記載の方法。
【請求項５】
前記伝送ブロックサイズは、前記Ｅ−ＤＰＣＣＨ上を伝達されるＥ−ＴＦＣＩ（Transport  Format  Combination  Indicator）を復号することによって判定される、請求項３又は請求項４のいずれか１項に記載の方法。
【請求項６】
前記調節するステップは：
−前記送信データについての前記データ送信レートの指標である伝送ブロックサイズを、前に送信された伝送ブロックの前記伝送ブロックサイズに対して評価するステップと、
−前記新しい送信レートを前記第２のＳＩＲ目標にマッピングするステップと、
を含む、請求項２に記載の方法。
【請求項７】
前記評価するステップ及びマッピングするステップは：
−前記送信データについての前記データ送信レートの指標である伝送ブロックサイズを、データ送信レートの指標である最小限の伝送ブロックサイズに対して評価するステップと、
−前記評価された新しい送信レートを前記第２のＳＩＲ目標にマッピングするステップと、
−前記ＵＥによって使用される前記ＤＰＣＣＨの前記ＳＩＲを決定するステップと、
を含み、前記ＵＥによって使用される前記ＤＰＣＣＨの前記ＳＩＲが前記第２のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第２のＳＩＲ目標よりも大きい場合には、前記方法はさらに：
−前記評価されたＤＰＣＣＨ電力及び前記評価されたＥ−ＤＰＤＣＨ電力に基づいて前記伝送ブロックサイズを再評価するステップと、
−前記再評価された伝送ブロックサイズを第３のＳＩＲ目標にマッピングするステップと、
を含み、前記ＵＥによって使用される前記ＤＰＣＣＨの前記ＳＩＲが前記第３のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第３のＳＩＲ目標よりも大きい場合には、前記方法は前記ＵＥへ電力ダウンコマンドを送信するステップを含む、
請求項６に記載の方法
【請求項８】
前記第１の無線基地局は、前記ＵＥに対してサービス提供無線基地局として動作している、請求項１に記載の方法。
【請求項９】
前記調節するステップは：
−前記送信データについての前記データ送信レートの指標である伝送ブロックサイズを前に送信された伝送ブロックの前記伝送ブロックサイズに対して評価するステップと、
−前記新しい送信レートを前記第２のＳＩＲ目標にマッピングするステップと、
を含む、請求項８に記載の方法。
【請求項１０】
前記評価するステップ及びマッピングするステップは：
−前記送信データについての前記データ送信レートの指標である伝送ブロックサイズを、送信レートの指標である最小限の伝送ブロックサイズに対して評価するステップと、
−前記評価された新しい送信レートを前記第２のＳＩＲ目標にマッピングするステップと、
−前記ＵＥによって使用される前記ＤＰＣＣＨの前記ＳＩＲを決定するステップと、
を含み、
前記ＵＥによって使用される前記ＤＰＣＣＨの前記ＳＩＲが前記第２のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第２のＳＩＲ目標よりも大きい場合には、前記方法はさらに：
−前記評価されたＤＰＣＣＨ電力及び前記評価されたＥ−ＤＰＤＣＨ電力に基づいて前記伝送ブロックサイズを再評価するステップと、
−前記再評価された伝送ブロックサイズを第３のＳＩＲ目標にマッピングするステップと、
を含み、前記ＵＥによって使用される前記ＤＰＣＣＨの前記ＳＩＲが前記第３のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第３のＳＩＲ目標よりも大きい場合には、前記方法は前記ＵＥへ電力ダウンコマンドを送信するステップを含む、
請求項９に記載の方法。
【請求項１１】
ユーザ機器（ＵＥ）によって使用されるＤＰＣＣＨ（Dedicated  Physical  Control  Channel）電力を制御するための移動通信ネットワークの無線基地局であって、前記ＵＥは、当該無線基地局及び他の無線基地局に接続されており、並びに１以上のＥ−ＤＰＤＣＨ（Dedicated  Physical  Data  Channels）上でデータを送信し及びＤＰＣＣＨ上でチャネル評価のためのリファレンス情報を送信するように構成されており、当該無線基地局は、前記ＵＥによって使用される前記ＤＰＣＣＨ電力について第１のＳＩＲ目標（ＳＩＲ目標Ａ）を使用するための手段と、前記Ｅ−ＤＰＤＣＨ上の前記ＵＥのデータ送信レートの変化を検出するための手段と、ＵＥの新しいデータ送信レートと第２のＳＩＲ目標との間の予決定されたマッピングに基づいて、前記ＵＥによって使用される前記ＤＰＣＣＨ電力についての前記第１のＳＩＲ目標（ＳＩＲ目標Ａ）を、前記ＤＰＣＣＨ電力についての前記第２のＳＩＲ目標（ＳＩＲ目標Ｂ）に調節するための手段と、を含む無線基地局。
【請求項１２】
前記ＵＥに対して非サービス提供無線基地局として動作するように構成される、請求項１１に記載の無線基地局。
【請求項１３】
前記調節するための手段は、前記送信データについての前記データ送信レートの指標である伝送ブロックサイズを判定し、前記新しい送信レートを前記第２のＳＩＲ目標にマッピングする、ように構成される、請求項１２に記載の無線基地局。
【請求項１４】
前記新しい送信レートを前記第２のＳＩＲ目標にマッピングするように構成される前記手段は、まず前記新しい送信レートを前記ＵＥによって使用される前記ＤＰＣＣＨ電力の変化にマッピングし、前記ＤＰＣＣＨ電力の前記変化を前記ＵＥによって使用される前記ＤＰＣＣＨについての前記第１のＳＩＲ目標に加えることによって前記第２のＳＩＲ目標を決定する、ようにさらに構成される、請求項１３に記載の無線基地局。
【請求項１５】
前記伝送ブロックサイズは、前記Ｅ−ＤＰＣＣＨ上を伝達されるＥ−ＴＦＣＩ（Transport  Format  Combination  Indicator）を復号することによって判定される、請求項１３又は請求項１４のいずれか１項に記載の無線基地局。
【請求項１６】
前記調節するための手段は、前記送信データについての前記データ送信レートの指標である伝送ブロックサイズを、前に送信された伝送ブロックの前記伝送ブロックサイズに対して評価し、前記新しい送信レートを前記第２のＳＩＲ目標にマッピングする、ようにさらに構成される、請求項１２に記載の無線基地局。
【請求項１７】
前記調節するための手段は：前記送信データについての前記データ送信レートの指標である伝送ブロックサイズを、データ送信レートの指標である最小限の伝送ブロックサイズに対して評価し、前記評価された新しい送信レートを前記第２のＳＩＲ目標にマッピングし、前記ＵＥによって使用される前記ＤＰＣＣＨの前記ＳＩＲを決定し、前記ＵＥによって使用される前記ＤＰＣＣＨの前記ＳＩＲが前記第２のＳＩＲ目標よりも小さい場合、前記ＵＥへ電力アップコマンドを送信し、前記ＵＥによって使用される前記ＤＰＣＣＨの前記ＳＩＲが前記第２のＳＩＲ目標よりも大きい場合、前記評価されたＤＰＣＣＨ電力及び前記評価されたＥ−ＤＰＤＣＨ電力に基づいて前記伝送ブロックサイズを再評価し、前記再評価された伝送ブロックサイズを第３のＳＩＲ目標にマッピングし、前記ＵＥによって使用される前記ＤＰＣＣＨの前記ＳＩＲが前記第３のＳＩＲ目標よりも小さい場合、前記ＵＥへ電力アップコマンドを送信し、前記ＵＥによって使用される前記ＤＰＣＣＨの前記ＳＩＲが前記第３のＳＩＲ目標よりも大きい場合、前記ＵＥへ電力ダウンコマンドを送信する、ようにさらに構成される、請求項１２に記載の無線基地局。
【請求項１８】
前記ＵＥに対してサービス提供無線基地局として動作するように構成される、請求項１１に記載の無線基地局。
【請求項１９】
前記調節するための手段は：前記送信データについての前記データ送信レートの指標である伝送ブロックサイズを前に送信された伝送ブロックの前記伝送ブロックサイズに対して評価し、前記新しい送信レートを前記第２のＳＩＲ目標にマッピングする、ように構成される、請求項１８に記載の無線基地局。
【請求項２０】
前記調節するための手段は：前記送信データについての前記データ送信レートの指標である伝送ブロックサイズを、送信レートの指標である最小限の伝送ブロックサイズに対して評価し、前記評価された新しい送信レートを前記第２のＳＩＲ目標にマッピングし、前記ＵＥによって使用される前記ＤＰＣＣＨの前記ＳＩＲを決定し、前記ＵＥによって使用される前記ＤＰＣＣＨの前記ＳＩＲが前記第２のＳＩＲ目標よりも小さい場合、前記ＵＥへ電力アップコマンドを送信し、前記ＵＥによって使用される前記ＤＰＣＣＨの前記ＳＩＲが前記第２のＳＩＲ目標よりも小さい場合、前記評価されたＤＰＣＣＨ電力及び前記評価されたＥ−ＤＰＤＣＨ電力に基づいて前記伝送ブロックサイズを再評価し、前記再評価された伝送ブロックサイズを第３のＳＩＲ目標にマッピングし、前記ＵＥによって使用される前記ＤＰＣＣＨの前記ＳＩＲが前記第３のＳＩＲ目標よりも小さい場合、前記ＵＥへ電力アップコマンドを送信し、前記ＵＥによって使用される前記ＤＰＣＣＨの前記ＳＩＲが前記第３のＳＩＲ目標よりも小さい場合、前記ＵＥへ電力ダウンコマンドを送信する、ようにさらに構成される、請求項１８に記載の無線基地局。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって使用されるＤＰＣＣＨ（Dedicated  Physical  Control  Channel）電力を制御するための、移動通信ネットワークの第１の無線基地局のための方法であって、前記ＵＥは、当該第１の無線基地局及び他の無線基地局に接続されており、並びに１以上のＥ−ＤＰＤＣＨ（Dedicated  Physical  Data  Channels）上でデータを送信し及びＤＰＣＣＨ上でチャネル評価のためのリファレンス情報を送信するように構成されており、当該方法は：
−前記ＵＥによって使用される前記ＤＰＣＣＨ電力について第１のＳＩＲ目標を使用するステップと、
−前記Ｅ−ＤＰＤＣＨ上の前記ＵＥのデータ送信レートの変化を検出するステップと、
−ＵＥの新しいデータ送信レートと第２のＳＩＲ目標との間の予決定されたマッピングに基づいて、前記ＵＥによって使用される前記ＤＰＣＣＨ電力についての前記第１のＳＩＲ目標を、前記ＤＰＣＣＨ電力についての前記第２のＳＩＲ目標に調節するステップと、
を含む方法。
【請求項２】
前記第１の無線基地局は、前記ＵＥに対して非サービス提供無線基地局として動作している、請求項１に記載の方法。
【請求項３】
前記調節するステップは：
−前記送信データについての前記データ送信レートの指標である伝送ブロックサイズを判定することと、
−前記新しい送信レートを前記第２のＳＩＲ目標にマッピングすることと、
を含む、請求項２に記載の方法。
【請求項４】
前記新しい送信レートを前記第２のＳＩＲ目標にマッピングすることは、まず前記新しい送信レートを前記ＵＥによって使用される前記ＤＰＣＣＨ電力の変化にマッピングし、次に前記ＤＰＣＣＨ電力の前記変化を前記ＵＥによって使用される前記ＤＰＣＣＨについての前記第１のＳＩＲ目標に加えることによって前記第２のＳＩＲ目標を決定する、ことによって実行される、請求項３に記載の方法。
【請求項５】
前記第１の無線基地局は、前記ＵＥに対してサービス提供無線基地局として動作している、請求項１に記載の方法。
【請求項６】
前記調節するステップは：
−前記送信データについての前記データ送信レートの指標である伝送ブロックサイズを、前に送信された伝送ブロックの前記伝送ブロックサイズに対して評価するステップと、
−前記新しい送信レートを前記第２のＳＩＲ目標にマッピングするステップと、
を含む、請求項２又は請求項５に記載の方法。
【請求項７】
前記評価するステップ及びマッピングするステップは：
−前記送信データについての前記データ送信レートの指標である伝送ブロックサイズを、送信レートの指標である最小限の伝送ブロックサイズに対して評価するステップと、
−前記評価された新しい送信レートを前記第２のＳＩＲ目標にマッピングするステップと、
−前記ＵＥによって使用される前記ＤＰＣＣＨの前記ＳＩＲを決定するステップと、
を含み、前記ＵＥによって使用される前記ＤＰＣＣＨの前記ＳＩＲが前記第２のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第２のＳＩＲ目標よりも大きい場合には、前記方法はさらに：
−前記評価されたＤＰＣＣＨ電力及び前記評価されたＥ−ＤＰＤＣＨ電力に基づいて前記伝送ブロックサイズを再評価するステップと、
−前記再評価された伝送ブロックサイズを第３のＳＩＲ目標にマッピングするステップと、
を含み、前記ＵＥによって使用される前記ＤＰＣＣＨの前記ＳＩＲが前記第３のＳＩＲ目標よりも小さい場合には、前記方法は前記ＵＥへ電力アップコマンドを送信するステップを含み、そうでなく前記ＵＥによって使用される前記ＤＰＣＣＨの前記ＳＩＲが前記第３のＳＩＲ目標よりも大きい場合には、前記方法は前記ＵＥへ電力ダウンコマンドを送信するステップを含む、
請求項６に記載の方法
【請求項８】
ユーザ機器（ＵＥ）によって使用されるＤＰＣＣＨ（Dedicated  Physical  Control  Channel）電力を制御するための移動通信ネットワークの無線基地局であって、前記ＵＥは、当該無線基地局及び他の無線基地局に接続されており、並びに１以上のＥ−ＤＰＤＣＨ（Dedicated  Physical  Data  Channels）上でデータを送信し及びＤＰＣＣＨ上でチャネル評価のためのリファレンス情報を送信するように構成されており、当該無線基地局は、前記ＵＥによって使用される前記ＤＰＣＣＨ電力について第１のＳＩＲ目標（ＳＩＲ目標Ａ）を使用するための手段と、前記Ｅ−ＤＰＤＣＨ上の前記ＵＥのデータ送信レートの変化を検出するための手段と、ＵＥの新しいデータ送信レートと第２のＳＩＲ目標との間の予決定されたマッピングに基づいて、前記ＵＥによって使用される前記ＤＰＣＣＨ電力についての前記第１のＳＩＲ目標（ＳＩＲ目標Ａ）を、前記ＤＰＣＣＨ電力についての前記第２のＳＩＲ目標（ＳＩＲ目標Ｂ）に調節するための手段と、を含む無線基地局。
【請求項９】
前記ＵＥに対して非サービス提供無線基地局として動作するように構成される、請求項８に記載の無線基地局。
【請求項１０】
前記調節するための手段は、前記送信データについての前記データ送信レートの指標である伝送ブロックサイズを判定し、前記新しい送信レートを前記第２のＳＩＲ目標にマッピングする、ように構成される、請求項９に記載の無線基地局。
【請求項１１】
前記調節するための手段は：前記送信データについての前記データ送信レートの指標である伝送ブロックサイズを、前に送信された伝送ブロックの前記伝送ブロックサイズに対して評価し、前記新しい送信レートを前記第２のＳＩＲ目標にマッピングする、ようにさらに構成される、請求項９に記載の無線基地局。
【国際調査報告】
2010523042.tif 000011
2010523042.tif 000012
2010523042.tif 000013